(57)【要約】【課題】ディスクローディング用ローラによるディスクのローディング時に、ディスクの回転を抑制して、ディスクのローディング動作をより安定して行う。【解決手段】装置本体２内に挿入されたディスクＤは、モータにより回転されるディスクローディング用ローラ３と調整用シャフト４との間に挟持されて引き込まれる。このとき、調整用シャフト４は連れ回りで逆回転する。調整用シャフト４の一端側４ａは偏心ベアリング５に連結されているとともに、偏心ベアリング５が装置本体２に回転可能に支持される。偏心ベアリング５により調整用シャフト４が偏心回転するので、ディスクＤに対するディスクローディング用ローラ３の加圧力の大小がディスクローディング用ローラ３の軸方向で変化する。これにより、ローディング時にディスクの回転が抑制される。【選択図】  図３
2010134999.tif 000002
【特許請求の範囲】
【請求項１】
装置本体に対するディスクの引込みおよび押出しを行うディスクローディング用ローラを少なくとも備えるスロットイン方式のディスク記録媒体処理装置において、
前記装置本体に挿入されたディスクを前記ディスクローディング用ローラとの間で挟持して搬送する調整用シャフトが前記装置本体に回転可能に連結されており、
前記調整用シャフトの少なくとも一端側に偏心ベアリングが一体回転可能に連結されているとともに、前記偏心ベアリングが前記装置本体に回転可能に支持されており、
前記偏心ベアリングに一体回転可能に連結される前記調整用シャフトの中心が、前記装置本体に回転可能に支持される前記偏心ベアリングの中心に対して偏心して設けられていることを特徴とするディスク記録媒体処理装置。
【請求項２】
前記偏心ベアリングが前記装置本体に支持される弾性変形部を有し、この弾性変形部は、前記調整用シャフトの中心が前記偏心ベアリングの中心に対して偏心する側に設けられていることを特徴とする請求項１記載のディスク記録媒体処理装置。
【請求項３】
前記弾性変形部は、横断面矩形状に形成されていることを特徴とする請求項２記載のディスク記録媒体処理装置。
【発明の詳細な説明】
【技術分野】
【０００１】
本発明は、例えば、音響機器、映像機器、情報機器、通信機器、計測機器等において用いられ、ＣＤやＤＶＤ等のディスクに対して記録、再生等の情報の処理を行うディスク記録媒体処理装置の技術分野に関し、特に、スロットイン方式のディスク記録媒体処理装置の技術分野に属する。
【背景技術】
【０００２】
例えば、音響機器においては、多数の曲が記録されているディスクを用いたディスク記録再生処理装置（ＣＤドライブ装置、ＤＶＤドライブ装置等）が、従来から種々多数開発されている。従来のこのようなディスク記録再生処理装置の１つとして、スロットイン方式のディスク記録再生装置がある（例えば、特許文献１ないし３参照）。
【０００３】
これらの特許文献１ないし３に記載のスロットイン方式のディスク記録再生処理装置では、装置本体にスロットからなるディスク挿入取出口が設けられているとともに、このディスク挿入取出口に隣接してディスクローディング用ローラが回転可能に設けられている。このディスクローディング用ローラは細長い円柱状または円筒状のローラとして構成されており、このローラにモータの回転駆動力が伝達されるようになっている。ディスクローディング用ローラは、ディスクの移動方向に対して直交する方向に配設されている。
【０００４】
そして、ディスクのローディング時に、ユーザーがディスク挿入取出口を通して装置本体内にディスクを挿入すると、装置本体内に設けられたディスク検知センサによりこのディスクが検知されて、電子制御装置によりモータがディスクを装置本体内へ引き込む方向に回転駆動される。これにより、ディスクローディング用ローラがディスクを装置本体内へ引き込む方向に回転する。すると、ディスクはディスクローディング用ローラと装置本体内に設けられたガイド部材との間に挟持されつつ、ディスクローディング用ローラの回転によって装置本体内に引き込まれる。そして、最終的にディスクはトラバースユニット等の記録再生処理部に搬送される。
【特許文献１】特開２００３−２１７２０５号公報。
【特許文献２】特開２００２−１４０８４７号公報。
【特許文献３】特開２００２−３１３００５号公報。
【発明の開示】
【発明が解決しようとする課題】
【０００５】
ところで、このようなディスクローディング用ローラを用いたスロットイン方式のディスク記録再生処理装置では、ディスクをディスクローディング用ローラとガイド部材との間に挟持するために、ディスクローディング用ローラはガイド部材の方へ所定の加圧力で付勢されている。ディスクローディング用ローラのこの加圧力は、ディスクのローディング作動を安定して行うためには、ディスクローディング用ローラの軸方向に沿って均一に設定されることが望ましい。
【０００６】
しかしながら、ディスクローディング用ローラの加圧力は、ディスクローディング用ローラやガイド部材の組み付け誤差等によりディスクローディング用ローラの軸方向に沿って均一に設定することは難しい。すなわち、ディスクローディング用ローラの軸方向両端側の間で、加圧力の差（以下、軸方向加圧力差ともいう）がどうしても生じてしまう。
【０００７】
このように、ディスクローディング用ローラの加圧力に軸方向加圧力差が生じていると、
ディスク挿入取出口を通して挿入されたディスクがディスクローディング用ローラとガイド部材との間に挟持されるとき、ディスクローディング用ローラの加圧力が大きい側ではディスクの挟持力が大きく、ディスクローディング用ローラの加圧力が小さい側ではディスクの挟持力が小さくなってしまう。このため、ディスクの搬送力が、ディスクローディング用ローラの大きな加圧力側で常に大きくなり、ディスクローディング用ローラの小さな加圧力側で常に小さくなる。その結果、ディスクのローディング動作が行われる際、ディスクが回転しながらローディングされるようになる。このため、ディスクのローディング動作が安定して行われないばかりでなく、ユーザが違和感を抱くという問題がある。
【０００８】
本発明はこのような事情に鑑みてなされたものであって、その目的は、ディスクローディング用ローラを用いたスロットイン方式のディスク記録再生処理装置において、ディスクのローディング時にディスクの回転を抑制して、ディスクのローディング動作をより安定して行うことのできるディスク記録媒体処理装置を提供することである。
【課題を解決するための手段】
【０００９】
前述の課題を解決するために、請求項１に係る発明は、装置本体に対するディスクの引込みおよび押出しを行うディスクローディング用ローラを少なくとも備えるスロットイン方式のディスク記録媒体処理装置において、前記装置本体に挿入されたディスクを前記ディスクローディング用ローラとの間で挟持して搬送する調整用シャフトが前記装置本体に回転可能に連結されており、前記調整用シャフトの少なくとも一端側に偏心ベアリングが一体回転可能に連結されているとともに、前記偏心ベアリングが前記装置本体に回転可能に支持されており、前記偏心ベアリングに一体回転可能に連結される前記調整用シャフトの中心が、前記装置本体に回転可能に支持される前記偏心ベアリングの中心に対して偏心して設けられていることを特徴としている。
【００１０】
また、請求項２に係る発明は、前記偏心ベアリングが前記装置本体に支持される弾性変形部を有し、この弾性変形部が、前記調整用シャフトの中心が前記偏心ベアリングの中心に対して偏心する側に設けられていることを特徴としている。
更に、請求項３に係る発明は、前記弾性変形部が、横断面矩形状に形成されていることを特徴としている。
【発明の効果】
【００１１】
このように構成された本発明のディスク記録媒体処理装置によれば、調整用シャフトの少なくとも一端側を偏心ベアリングで支持しているので、ディスクのローディング動作中に調整用シャフトに微小な偏心運動を生じさせることができる。そして、従来のようにディスクローディング用ローラのディスクに対する加圧力に軸方向加圧力差が生じても、この微小な偏心運動により、加圧力の大小をディスクローディング用ローラの軸方向で常に同じ側にすることはなく、変化させることができる。これにより、ディスクローディング用ローラのディスク搬送力もディスクローディング用ローラの軸方向で変化させることができる。したがって、ディスクのローディング動作時に、ディスクローディング用ローラによりディスクをほとんど回転させることなく装置本体内へ引き込むことができるとともに装置本体内から押し出すことができる。こうして、ディスクのローディング動作を安定して行うことができるようになるとともに、ユーザに違和感を抱かせることも抑制することができる。
【００１２】
また、偏心ベアリングにより調整用シャフトが偏心支持されることからこの調整用シャフトの回転で偏心ベアリングが偏荷重を受けるようになる。しかし、偏心ベアリングの弾性変形部を、調整用シャフトの中心が偏心ベアリングの中心に対して偏心する側に設けているので、この偏荷重を受けたとき、弾性変形部が柔軟にかつ効果的に弾性変形することで、この偏荷重を効果的に吸収できる。これにより、偏心ベアリングおよび調整用シャフ
トをスムーズに回転させることができる。
更に、この弾性変形部を横断面矩形状に形成することで、弾性変形し易くすることができる。これにより、前述の偏荷重を更に効果的に吸収でき、偏心ベアリングおよび調整用シャフトを更にスムーズに回転させることができる。
【発明を実施するための最良の形態】
【００１３】
以下、図面を用いて本発明を実施するための最良の形態について説明する。
図１は、本発明に係るディスク記録媒体処理装置の実施の形態の一例を概略的に示し、（ａ）は一部の構成部材を省略して示す平面図、（ｂ）は偏心ベアリングを示す部分斜視図である。
【００１４】
この例のディスク記録媒体処理装置は前述の特許文献１ないし３に記載のディスク記録媒体処理装置と同様のスロットイン方式のディスク記録媒体処理装置である。図１（ａ）に示すように、このディスク記録媒体処理装置１は装置本体２を備え、この装置本体２には、ディスクのローディング動作を行うディスクローディング用ローラ３が設けられている。その場合、このディスクローディング用ローラ３はディスクの移動方向αに対して直交する方向に配設されている。また、ディスクローディング用ローラ３は金属製の芯軸を有する例えばゴムローラ等からなり、従来と同様にその芯軸の両端部が装置本体２に立設されたブラケットに軸方向回りに回転可能に支持されている。
【００１５】
ディスクローディング用ローラ３の上方には、例えばアルミニウム等の金属材からなりかつディスクローディング用ローラ３より小径の調整用シャフト４が回転可能にディスクローディング用ローラ３に並設されている。その場合、図１（ａ）および（ｂ）に示すように調整用シャフト４の一端側４ａが偏心ベアリング５に一体回転可能に連結されている。図２（ａ）ないし（ｃ）に示すように、この偏心ベアリング５は、円柱状の頭部５ａと、この頭部５ａから軸方向に延設されかつ頭部５ａの中心５ａ1と同心の円の円弧状に形
成された回転支持部５ｂと、回転支持部５ｂに所定の間隔を置いて頭部５ａから軸方向に延設された横断面矩形状の弾性変形部５ｃと、この弾性変形部５ｃの先端に設けられた係止爪５ｄと、頭部５ａの回転支持部５ｂと反対側に設けられた円柱状の連結穴５ｅと、回転支持部５ｂと弾性変形部５ｃおよび係止爪５ｄとの間に形成された「−」字状の間隙５ｆとを有している。
【００１６】
回転支持部５ｂの円弧を構成する円の中心は頭部５ａの中心５ａ1と一致している。以
下の説明では、回転支持部５ｂの円弧の中心も同じ符号５ａ1で示す。そして、連結穴５
ｅの中心５ａ2は、回転支持部５ｂの円弧の中心５ａ1から微小偏心量βだけ偏心して設定されている。この微小偏心量βは、調整用シャフト４の軸方向長さおよび調整用シャフト４の径等によるが、直径８ｃｍおよび１２ｃｍのディスクを扱うディスク記録媒体処理装置では、実用的には０.２ｍｍないし０.４ｍｍが望ましい。
【００１７】
また、弾性変形部５ｃは横断面矩形状とすることで、円弧状に比べて弾性変形し易いようにしている。そして、この弾性変形部５ｃは、連結穴５ｅの中心５ａ2が回転支持部５
ｂの円弧の中心５ａ1から偏心する側に設けられている。
【００１８】
このように構成された偏心ベアリング５の連結穴５に調整用シャフト４の一端側４ａが軸方向に例えば圧入等により嵌合されて偏心ベアリング５と一体回転可能に連結固定される。そして、図２（ａ）に示すように偏心ベアリング５が装置本体２に立設された支持ブラケット２ａの支持孔２ｂに、図２（ａ）において右方から係止爪５ｄを挿入して弾性変形部５ｃを貫通させる。このとき、係止爪５ｄが支持孔２ｂの内周面から径方向内側に向かって押圧力を加えられるので、弾性変形部５ｃが内側に弾性的に撓んで係止爪５ｄが支持孔２ｂを通過する。そして、係止爪５ｄが支持孔２ｂを通過すると、弾性変形部５ｃが
その弾性で元に復元し、係止爪５ｄは支持ブラケット２ａに軸方向に係止される。また、回転支持部５ｂの外周面５ｂ1が支持孔２ｂの内周面に密接するとともに、弾性変形部５
ｃの角部が支持孔２ｂの内周面に当接する。すなわち、偏心ベアリング５の回転支持部５ｂおよび弾性変形部５ｃが、支持ブラケット２ａつまり装置本体２に回転可能に支持される。
【００１９】
図３（ａ）および（ｂ）に示すように、ディスクローディング用ローラ３の両端部は、それぞれ「へ」の字状に屈曲された一対のローラ支持レバー
の略中央部に回転可能に支持されている。両ローラ支持レバー６,７はまったく同じ形状
でかつ同じサイズに形成されている。したがって、図３（ｂ）には、両ローラ支持レバー６,７を並記して示す。これらのローラ支持レバー６,７の一端部６ａ,７ａが装置本体２
にそれぞれ回転可能に支持されている。また、ローラ支持レバー６,７の他端部６ｂ,７ｂは、それぞれ、一端が装置本体２に支持された引っ張りばね（不図示）により、ローラ支持レバー６,７が一端部６ａ,７ａを中心に図３（ｂ）において反時計回りに回転する方向に付勢されている。これにより、ディスクローディング用ローラ３が調整用シャフト４の方向に常時付勢されている。
【００２０】
図４（ａ）および（ｂ）に示すように、ディスクＤの移動方向αに対して直交する方向に延びる略矩形平板状のガイド部材８がディスクローディング用ローラ３の上方に位置するようにして設けられている。また、ガイド部材８には、ディスクＤの移動方向αに対して直交する方向に延びる細長い矩形状の孔８ａが形成されている。この孔８ａに調整用シャフト４の一部が配置されている。この孔８ａの一端側のガイド部材８に軸受凹部８ｂが設けられており、この軸受凹部８ｂに調整用シャフト４の他端部４ｂが回転可能にかつ調整用シャフト４の他端を中心に若干の円錐（偏心）運動可能に支持されている。
【００２１】
ガイド部材８の下面には、ディスクＤをガイドするディスクガイド面８ｃが形成されている。また、ガイド部材８のディスク挿入側端には、装置本体２との間にディスク挿入取出口９を形成するディスク挿入取出口形成部８ｄが設けられている。
【００２２】
なお、図４（ａ）に示すようにディスクローディング用ローラ３の一端３ａには、図示しないモータの回転駆動力が伝達される駆動ギア１０がディスクローディング用ローラ３と一体回転可能に設けられている。また、図示しないが装置本体２内には、従来と同様にトラバースユニット等の記録再生処理部が設けられている。
【００２３】
このように構成されたこの例のディスク記録媒体処理装置１においては、ユーザーがディスクＤをディスク挿入取出口９を通して装置本体２内に挿入すると、ディスクＤがガイド部材８のガイド面８ｃにガイドされてディスクローディング用ローラ３の方へ進入する。また、従来と同様に装置本体２内に設けられたディスク検知センサ（不図示）によりこのディスクが検知される。すると、電子制御装置（不図示）によりモータ（不図示）がディスクＤを装置本体２内へ引き込む方向に回転駆動される。このモータの回転駆動力により駆動ギア１０を介してディスクローディング用ローラ３がディスクＤを引き込む方向に回転する。
【００２４】
挿入されたディスクＤは、ガイド部材８でディスクローディング用ローラ３と調整用シャフト４との間にガイドされるとともに、ディスクローディング用ローラ３の回転によって引き込まれてディスクローディング用ローラ３と調整用シャフト４との間に挟持されながら移動する。こうして、ディスクＤが装置本体２内で搬送される。このディスクＤの移動搬送にともない、調整用シャフト４がディスクローディング用ローラ３と逆回りに連れ回りで回転する。
【００２５】
すると、調整用シャフト４の一端側の偏心ベアリング５も調整用シャフト４と一体回転する。このとき、偏心ベアリング５は支持ブラケット２ａの支持孔２ｂに対して支持孔２ｂと同心に回転するが、図５（I）（ａ）ないし（ｄ）に示すように連結穴５ｅの中心５
ａ2は、頭部５ａの中心５ａ1を中心としかつ微小偏心量βを半径とする円軌道γに沿って円運動を行う。したがって、調整用シャフト４の中心４ｃの一端も、連結穴５ｅの中心５ａ2と同じ円運動γを行う。一方、調整用シャフト４の他端部は軸受凹部８ｂに回転可能
に支持されているので、調整用シャフト４の中心４ａの他端は、調整用シャフト４の回転中には軸受凹部８ｂの中心とほぼ一致している。これにより、図５（II）（ａ）ないし（ｄ）に示すように調整用シャフト４はその他端を中心として微小な円錐運動（偏心運動）を行うようになる。
【００２６】
そして、従来のようにディスクローディング用ローラ３のディスクＤに対する加圧力に軸方向加圧力差が生じても、この調整用シャフト４の微小な円錐運動により、加圧力の大小がディスクローディング用ローラ３の軸方向で常に同じ側にならず、変化するようになる。これにより、ディスクローディング用ローラ３のディスクＤ搬送力もディスクローディング用ローラ３の軸方向で変化する。したがって、いま図３（ａ）において、ディスクローディング用ローラ３の軸方向下側の搬送力が軸方向上側より大きいとすると、ディスクＤは反時計回りに若干回転するが、調整用シャフト４の微小な円錐運動により、すぐにディスクローディング用ローラ３の軸方向上側の搬送力が軸方向下側より大きくなり、ディスクＤは逆に時計回りに若干回転するようになる。こうして、ディスクＤは反時計回りおよび時計回りの微小な回転が繰り返されるが、全体としてほとんど回転することなくディスクローディング用ローラ３により装置本体２内へ引き込まれる。そして、最終的にディスクはトラバースユニット等の記録再生処理部に搬送される。このように、この例のディスク記録媒体処理装置１においては、ディスクＤのローディング動作中におけるディスクＤの回転が抑制される。また、ディスクＤの記録再生処理部から装置本体外への排出の際のローディング動作中にも、同様にディスクＤの回転が抑制される。
【００２７】
図６は、ディスク挿入時に回転しないようにするための調整用シャフトの調整方法の一例を説明する図である。
ディスクＤの挿入時に、ディスクＤが回転しないようにするための調整用シャフト４の調整方法の一例について説明する。
【００２８】
ディスクＤの挿入持に、ディスクＤがディスクローディング用ローラ３と調整用シャフト４との間に挟持されて装置本体２内に引き込まれる。このとき、調整用シャフト４が未調整でディスクＤが時計回りまたは反時計回りに回転するものとする。この場合には、図６に示すように、ディスクＤの中心孔Ｄ1に例えば円柱状の丸棒からなるディスクストッ
パ棒１０をディスクＤの平面にほぼ垂直に挿入しかつこのディスクストッパ棒１０を調整用シャフト４の当接させた状態にする。すると、装置本体内に引き込まれようとするディスクＤはディスクストッパ棒１０に引き留められ、装置本体内には進入しない。したがって、ディスクＤはこのディスクストッパ棒１０をほぼ中心に時計回りまたは反時計回りに回転する。
【００２９】
この状態で、回転支持部５ｂと弾性変形部５ｃおよび係止爪５ｄとの間の間隙５ｆに、例えばドライバのような調整用工具１１を差し込んで偏心ベアリング５を回転させる。その場合、ディスクＤの回転が停止する方向に回転させる。そして、ディスクＤの回転が停止したとき、偏心ベアリング５の回転を停止する。こうして、調整用シャフト４がディスクＤの挿入時に、ディスクＤが回転しないように調整される。
【００３０】
この例のディスク記録媒体処理装置１によれば、調整用シャフト４の一端側を偏心ベアリング５で支持しているので、ディスクＤのローディング動作中に調整用シャフト４に微
小な円錐運動を生じさせることができる。そして、従来のようにディスクローディング用ローラ３のディスクＤに対する加圧力に軸方向加圧力差が生じても、この微小な円錐運動により、加圧力の大小をディスクローディング用ローラ３の軸方向で常に同じ側にすることはなく、変化させることができる。これにより、ディスクローディング用ローラ３のディスクＤ搬送力もディスクローディング用ローラ３の軸方向で変化させることができる。したがって、ディスクＤのローディング動作時に、ディスクローディング用ローラ３によりディスクＤをほとんど回転させることなく装置本体２内へ引き込むことができるとともに、装置本体２内から押し出すことができる。こうして、ディスクＤのローディング動作を安定して行うことができるようになるとともに、ユーザに違和感を抱かせることも抑制することができる。
【００３１】
また、偏心ベアリング５により調整用シャフト４が偏心支持されることからこの調整用シャフト４の回転で偏心ベアリング５が偏荷重を受けるようになる。しかし、偏心ベアリング５の弾性変形部５ｃを連結穴５ｅの中心５ａ2つまり調整用シャフト４の一端の中心
４ｃが回転支持部５ｂの円弧の中心５ａ1から偏心する側に設けているので、この偏荷重
を受けたとき、弾性変形部５ｃが柔軟にかつ効果的に弾性変形することで、この偏荷重を吸収できる。これにより、偏心ベアリング５および調整用シャフト４をスムーズに回転させることができる。
【００３２】
更に、この弾性変形部５ｃを横断面矩形状に形成することで、弾性変形し易くすることができる。これにより、前述の偏荷重を更に効果的に吸収でき、偏心ベアリング５および調整用シャフト４を更にスムーズに回転させることができる。
【００３３】
なお、前述の例のディスク記録媒体処理装置１では、調整用シャフト４の一端側に偏心ベアリング５を設けるものとしているが、本発明はこれに限定されることはなく、調整用シャフト４の他端側に偏心ベアリング５を設けることもできる。また、偏心ベアリング５は調整用シャフト４の両端のいずれの側にも設けることもできる。この場合には、調整用シャフト４は円錐運動ではなく、微小な略双曲面運動（偏心運動）を行うようになる。
【産業上の利用可能性】
【００３４】
本発明のディスク記録媒体処理装置は、例えば、音響機器、映像機器、情報機器、通信機器、計測機器等において用いられ、ＣＤやＤＶＤ等のディスクに対して記録、再生等の情報の処理を行うディスク記録媒体処理装置であって、ディスクローディング用ローラを用いたスロットイン方式のディスク記録媒体処理装置に好適に利用することが可能である。
【図面の簡単な説明】
【００３５】
【図１】本発明に係るディスク記録媒体処理装置の実施の形態の一例を概略的に示し、（ａ）は一部の構成部材を省略して示す平面図、（ｂ）は偏心ベアリングを示す部分斜視図である。
【図２】図１に示すディスク記録媒体処理装置に用いられる偏心ベアリングを示し、（ａ）は正面図、（ｂ）は右側面図、（ｃ）は左側面図である。
【図３】（ａ）はディスクの挿入途中を示す平面図、（ｂ）はディスクローディング用ローラと調整用シャフトとの関係を示す図である。
【図４】（ａ）はディスクの挿入途中を示す斜視図、（ｂ）はガイド部材を部分的に示す斜視図である。
【図５】（I）（ａ）ないし（ｄ）は偏心ベアリングの作動を説明する図、（II）（ａ）ないし（ｄ）は調整用シャフトの挙動を示す図である。
【図６】ディスク挿入時に回転しないようにするための調整用シャフトの調整方法の一例を説明する図である。
【符号の説明】
【００３６】
１…ディスク記録媒体処理装置、２…装置本体、３…ディスクローディング用ローラ、４…調整用シャフト、４ａ…調整用シャフトの中心、５…偏心ベアリング、５ａ…頭部、５ａ1…頭部および回転支持部の中心、５ａ2…連結穴の中心、５ｂ…回転支持部、５ｃ…弾性変形部、５ｄ…係止爪、５ｅ…連結穴、８…ガイド部材、８ｂ…軸受凹部、８ｃ…ディスクガイド面、８ｄ…ディスク挿入取出口形成部、９…ディスク挿入取出口、１０…ディスクストッパ棒、１１…調整用工具
【図１】
2010134999.tif 000003
【図２】
2010134999.tif 000004
【図３】
2010134999.tif 000005
【図４】
2010134999.tif 000006
【図５】
2010134999.tif 000007
【図６】
2010134999.tif 000008